(57)【要約】【課題】大量の水蒸気を発生する食品を電子レンジで加熱調理しても、蒸気がこもることがなく、食品が濡れたり、湿ったりして、食味が大きく劣化する恐れのない電子レンジ加熱調理用容器を提供する。【解決手段】容器本体１０と蓋２０からなる電子レンジ加熱調理用容器であって、容器本体は底面板１と底面板の端部に連続し上方に向けて設けた容器側壁（容器前後側壁２ａ、容器側部側壁２ｂ）を有し、蓋は天面板５と天面板の端部に連続し下方に向けて設けた蓋側壁（蓋前後側壁６ａ、蓋側部側壁６ｂ）を有し、容器側壁の上端部に低い部分を設けて、容器本体と蓋の間に隙間を設けた。【選択図】図１
2015006902.tif 000002
【特許請求の範囲】
【請求項１】
容器本体と蓋からなる電子レンジ加熱調理用容器であって、前記容器本体は底面板と該底面板の端部に連続し上方に向けて設けた容器側壁を有し、前記蓋は天面板と該天面板の端部に連続し下方に向けて設けた蓋側壁を有し、容器側壁の上端部に低い部分を設けて、前記容器本体と前記蓋の間に隙間を設けたことを特徴とする電子レンジ加熱調理用容器。
【請求項２】
前記蓋側壁の下端部に高い部分を設けて、前記容器側壁の上端部の低い部分に合わせ、前記容器本体と前記蓋の間に隙間を設けたことを特徴とする請求項１に記載の電子レンジ加熱調理用容器。
【請求項３】
容器本体と蓋からなる電子レンジ加熱調理用容器であって、前記容器本体は底面板と該底面板の端部に連続し上方に向けて設けた容器側壁を有し、前記蓋は天面板と該天面板の端部に連続し上方に向けて設けた蓋側壁を有し、該蓋側壁は前記容器側壁の内面に沿って嵌合するように形成し、容器側壁の上端部に低い部分を設けて、前記容器本体と前記蓋の間に隙間を設けたことを特徴とする電子レンジ加熱調理用容器。
【発明の詳細な説明】
【技術分野】
【０００１】
本発明は、電子レンジ加熱調理用容器に関するものである。
【背景技術】
【０００２】
電子レンジで加熱調理して食することのできる食品として、従来から購買者側の手間を軽減するために、その食品を収容していた容器を利用してそのまま電子レンジに入れて加熱調理できるようにした商品が多く流通している。
【０００３】
水分の多い食品を電子レンジでマイクロ波照射して加熱すると、水分が蒸発して大量の蒸気が発生し、この蒸気が容器内に溜まることによって、食品が濡れたり、湿ったりして、食味が大きく劣化することがある。
【０００４】
このため、この蒸気を容器内から抜くことが考えられている。例えば、特許文献１の電子レンジ加熱用紙箱では、上部が開口部とされている紙製の箱主体の１側壁から、開口部を掩蔽する蓋片が延設されており、該蓋片の前後縁間の左右の両側縁から、補強蓋片が延設され、かつ蓋片裏側へ折曲されて蓋片裏面に接着されていて、側壁に蒸気抜き孔が設けられている。
【０００５】
上記の電子レンジ加熱用紙箱では、ピザ、各種副食類、菓子などに使用するのには向いていると思われるが、更に大量の水蒸気を発生する、お好み焼き、パウンドケーキ、蒸しパンなどの粉を、水で溶いて電子レンジで加熱調理する用途では、なお一層、蒸気が放出されやすい構造が求められる。
【０００６】
公知文献を以下に示す。
【先行技術文献】
【特許文献】
【０００７】
【特許文献１】実開平５−９４１１９号公報
【発明の概要】
【発明が解決しようとする課題】
【０００８】
本発明は、大量の水蒸気を発生する食品を電子レンジで加熱調理しても、蒸気がこもることがなく、食品が濡れたり、湿ったりして、食味が大きく劣化する恐れのない電子レンジ加熱調理用容器を提供することを課題とする。
【課題を解決するための手段】
【０００９】
本発明は係る課題に鑑みなされたものであり、請求項１の発明は、容器本体と蓋からなる電子レンジ加熱調理用容器であって、前記容器本体は底面板と該底面板の端部に連続し上方に向けて設けた容器側壁を有し、前記蓋は天面板と該天面板の端部に連続し下方に向けて設けた蓋側壁を有し、容器側壁の上端部に低い部分を設けて、前記容器本体と前記蓋の間に隙間を設けたことを特徴とする電子レンジ加熱調理用容器である。
【００１０】
本発明の請求項２の発明は、前記蓋側壁の下端部に高い部分を設けて、前記容器側壁の上端部の低い部分に合わせ、前記容器本体と前記蓋の間に隙間を設けたことを特徴とする請求項１に記載の電子レンジ加熱調理用容器である。
【００１１】
本発明の請求項３の発明は、容器本体と蓋からなる電子レンジ加熱調理用容器であって、前記容器本体は底面板と該底面板の端部に連続し上方に向けて設けた容器側壁を有し、前記蓋は天面板と該天面板の端部に連続し上方に向けて設けた蓋側壁を有し、該蓋側壁は前記容器側壁の内面に沿って嵌合するように形成し、容器側壁の上端部に低い部分を設けて、前記容器本体と前記蓋の間に隙間を設けたことを特徴とする電子レンジ加熱調理用容器である。
【発明の効果】
【００１２】
本発明の電子レンジ加熱調理用容器は、大量の水蒸気を発生する食品を電子レンジで加熱調理しても、蒸気がこもることがなく、調理された食品が濡れたり、湿ったりして、食味が大きく劣化する恐れがない。
【００１３】
また、容器本体と蓋の間の隙間から蒸気が抜けるようにしているので、加熱調理後、不用意に手を電子レンジ加熱調理用容器の上にかざしたときにも火傷を負う恐れがない。
【図面の簡単な説明】
【００１４】
【図１】本発明の電子レンジ加熱調理用容器の第１の実施形態を模式的に斜視で示した説明図である。
【図２】本発明の電子レンジ加熱調理用容器の第１の実施形態を中央から縦に切断した断面を模式的に示した説明図である。
【図３】本発明の電子レンジ加熱調理用容器の第２の実施形態を模式的に斜視で示した説明図である。
【図４】本発明の電子レンジ加熱調理用容器の第２の実施形態を中央から縦に切断した断面を模式的に示した説明図である。
【図５】本発明の電子レンジ加熱調理用容器の第３の実施形態を模式的に斜視で示した説明図である。
【図６】本発明の電子レンジ加熱調理用容器の第３の実施形態を模式的に正面で示した説明図である。
【図７】本発明の電子レンジ加熱調理用容器の第４の実施形態を模式的に斜視で示した説明図である。
【図８】本発明の電子レンジ加熱調理用容器の第４の実施形態を模式的に正面で示した説明図である。
【図９】本発明の電子レンジ加熱調理用容器の第５の実施形態を模式的に斜視で示した説明図である。
【図１０】本発明の電子レンジ加熱調理用容器の第５の実施形態を模式的に正面で示した説明図である。
【図１１】本発明の電子レンジ加熱調理用容器の第６の実施形態を模式的に斜視で示した説明図である。
【図１２】本発明の電子レンジ加熱調理用容器の第６の実施形態を模式的に正面で示した説明図である。
【図１３】本発明の電子レンジ加熱調理用容器の第７の実施形態を模式的に斜視で示した説明図である。
【図１４】本発明の電子レンジ加熱調理用容器の第７の実施形態を模式的に正面で示した説明図である。
【図１５】本発明の電子レンジ加熱調理用容器の第８の実施形態を模式的に斜視で示した説明図である。
【図１６】本発明の電子レンジ加熱調理用容器の第８の実施形態を模式的に正面で示した説明図である。
【発明を実施するための形態】
【００１５】
本発明の電子レンジ加熱調理用容器は、お好み焼きや、パウンドケーキ、蒸しパンなど
の粉を水で溶いて、電子レンジで加熱調理するために、少なくとも容器本体は水を通さない素材でできていることが求められ、プラスチックの成形品でもよいが、板紙にプラスチックを積層して、水が浸透、透過しない紙とプラスチックの積層体が好ましく用いられる。紙に積層するプラスチックとしては、ポリエチレンや、ポリプロピレン、ポリメチルペンテンなどが好ましく使用できる。
【００１６】
＜第１の実施形態＞
以下、本発明を実施するための第１の実施形態につき説明する。
図１は、本発明の電子レンジ加熱調理用容器の第１の実施形態を模式的に斜視で示した説明図、図２は、本発明の電子レンジ加熱調理用容器の第１の実施形態を中央から縦に切断した断面を模式的に示した説明図である。
【００１７】
第１の実施形態の電子レンジ加熱調理用容器１００は、図１のように、容器本体１０と蓋２０からなり、容器本体１０は底面板１と底面板１の端部に連続し、斜め外方で上方に向けて設けた容器側壁からなっている。容器側壁は、対向する２つの容器前後側壁２ａ、２ａと、２つの容器前後側壁２ａ、２ａの間に位置し、対向する２つの容器側部側壁２ｂ、２ｂとからなっている。
【００１８】
容器本体１０には、容器前後側壁２ａと容器側部側壁２ｂの端部どうしを結ぶ二つ折り接着片３、３、３、３が設けられていて、容器前後側壁２ａ、２ａ、容器側部側壁２ｂ、２ｂを上方に向けて起こして、二つ折り接着片３、３、３、３を二つに折って、その状態で、容器側部側壁２ｂ側に倒して、容器側部側壁２ｂの外面に接着している。
【００１９】
このようになっているので、容器本体１０に液体を入れても、容器前後側壁２ａと容器側部側壁２ｂの間から液体が漏れることがない。そして、容器前後側壁２ａ、２ａのそれぞれの左右中央の上端部には、なだらかな曲線状の切り欠き４ａ、４ａを設けて、他の上端部より低い部分を設けてある。
【００２０】
また、蓋２０は天面板５と天面板５の端部に連続し、斜め外方で下方に向けて設けた蓋側壁からなっている。蓋側壁は対向する２つの蓋前後側壁６ａ、６ａと、２つの蓋前後側壁６ａ、６ａの間に位置し、対向する２つの蓋側部側壁６ｂ、６ｂとからなっている。
【００２１】
蓋２０には、図示しないが、蓋側部側壁６ｂ、６ｂのそれぞれの左右両端には貼着片を設けていて、貼着片を蓋前後側壁６ａ、６ａの内面に貼着させて、蓋側壁を下方に向けて固定している。
【００２２】
この蓋２０を容器本体１０に被せると、図２の断面図のように、容器本体１０の容器側壁の上端部が蓋２０の天面板５に接するようになる。このとき、容器前後側壁２ａ、２ａのそれぞれの左右中央の上端部には、なだらかな曲線状の切り欠き４ａ、４ａが設けられ、他の上端部より低い部分を形成しているので、蓋２０の天面板５と、容器本体１０の容器前後側壁２ａ、２ａの間に隙間が生ずる。
【００２３】
容器本体１０に内容物の水溶きした粉を入れて、蓋２０を被せ、内容物の水溶きした粉を入れて電子レンジで加熱調理すると、大量に発生した蒸気は、天面板５と、容器本体１０の容器前後側壁２ａ、２ａの間に隙間より出て、斜め外方に向けて設けた蓋側壁が容器前後側壁２ａ、２ａと離れているので、斜め外方に向けて設けた蓋側壁と容器前後側壁２ａ、２ａの間を通り、容器外に放出され、蒸気がこもることがない。
【００２４】
そのため、調理した食品が濡れたり、湿ったりして、食味が大きく劣化する恐れがない。また、容器本体と蓋の間の隙間から蒸気が抜けるようにしているので、加熱調理後、不
用意に手を電子レンジ加熱調理用容器の上にかざしたときにも火傷を負う恐れがない。
【００２５】
＜第２の実施形態＞
以下、本発明を実施するための第２の実施形態につき説明する。
図３は、本発明の電子レンジ加熱調理用容器の第２の実施形態を模式的に斜視で示した説明図、図４は、本発明の電子レンジ加熱調理用容器の第２の実施形態を中央から縦に切断した断面を模式的に示した説明図である。
【００２６】
第２の実施形態の電子レンジ加熱調理用容器２００は、図３のように、容器本体１０と蓋２０からなり、容器本体１０は底面板１と底面板１の端部に連続し、斜め外方で上方に向けて設けた容器側壁からなっている。容器側壁は、対向する２つの容器前後側壁２ａ、２ａと、２つの容器前後側壁２ａ、２ａの間に位置し、対向する２つの容器側部側壁２ｂ、２ｂとからなっている。
【００２７】
容器本体１０には、容器前後側壁２ａと容器側部側壁２ｂの端部どうしを結ぶ二つ折り接着片３、３、３、３が設けられていて、容器前後側壁２ａ、２ａ、容器側部側壁２ｂ、２ｂを上方に向けて起こして、二つ折り接着片３、３、３、３を二つに折って、その状態で、容器側部側壁２ｂ側に倒して、容器側部側壁２ｂの外面に接着している。
【００２８】
このようになっているので、容器本体１０に液体を入れても、容器前後側壁２ａと容器側部側壁２ｂの間から液体が漏れることがない。そして、容器前後側壁２ａ、２ａのそれぞれの上端部は、波型の端部４ｂ、４ｂに形成され、波型の上端が最も高く、それ以外の波型の部分が低い部分になっている。
【００２９】
また、蓋２０は天面板５と天面板５の端部に連続し、斜め外方で下方に向けて設けた蓋側壁からなっている。蓋側壁は対向する２つの蓋前後側壁６ａ、６ａと、２つの蓋前後側壁６ａ、６ａの間に位置し、対向する２つの蓋側部側壁６ｂ、６ｂとからなっている。
【００３０】
蓋２０には、図示しないが、蓋側部側壁６ｂ、６ｂのそれぞれの左右両端には貼着片を設けていて、貼着片を蓋前後側壁６ａ、６ａの内面に貼着させて、蓋側壁を下方に向けて固定している。
【００３１】
この蓋２０を容器本体１０に被せると、図４の断面図のように、容器本体１０の容器側壁は、容器側部側壁２ｂ、２ｂの上端部と、容器前後側壁２ａ、２ａの波型の端部４ｂ、４ｂの波型の上端が、蓋２０の天面板５に接するようになる。
【００３２】
このとき、容器前後側壁２ａ、２ａのそれぞれの上端部は、波型の端部４ｂ、４ｂが設けられ、波型の端部４ｂ、４ｂの波型の上端以外の波型の部分が他の上端より低い部分を形成しているので、蓋２０の天面板５と、容器本体１０の容器前後側壁２ａ、２ａの間に隙間が生ずる。
【００３３】
容器本体１０に内容物の水溶きした粉を入れて、蓋２０を被せ、内容物の水溶きした粉を入れて電子レンジで加熱調理すると、大量に発生した蒸気は、天面板５と、容器本体１０の容器前後側壁２ａ、２ａの波型の端部４ｂ、４ｂの低い部分の間に隙間より出て、斜め外方に向けて設けた蓋側壁が容器前後側壁２ａ、２ａと離れているので、斜め外方に向けて設けた蓋側壁と容器前後側壁２ａ、２ａの間を通り、容器外に放出され、蒸気がこもることがない。
【００３４】
そのため、調理した食品が濡れたり、湿ったりして、食味が大きく劣化する恐れがない。また、容器本体と蓋の間の隙間から蒸気が抜けるようにしているので、加熱調理後、不用意に手を電子レンジ加熱調理用容器の上にかざしたときにも火傷を負う恐れがない。
【００３５】
＜第３の実施形態＞
以下、本発明を実施するための第３の実施形態につき説明する。
図５は、本発明の電子レンジ加熱調理用容器の第３の実施形態を模式的に斜視で示した説明図、図６は、本発明の電子レンジ加熱調理用容器の第３の実施形態を模式的に正面で示した説明図である。
【００３６】
第３の実施形態の電子レンジ加熱調理用容器３００は、図５のように、容器本体１０と蓋２０からなり、容器本体１０は底面板１と底面板１の端部に連続し、斜め外方で上方に向けて設けた容器側壁からなっている。容器側壁は、対向する２つの容器前後側壁２ａ、２ａと、２つの容器前後側壁２ａ、２ａの間に位置し、対向する２つの容器側部側壁２ｂ、２ｂとからなっている。
【００３７】
容器本体１０には、容器前後側壁２ａと容器側部側壁２ｂの端部どうしを結ぶ二つ折り接着片３、３、３、３が設けられていて、容器前後側壁２ａ、２ａ、容器側部側壁２ｂ、２ｂを上方に向けて起こして、二つ折り接着片３、３、３、３を二つに折って、その状態で、容器側部側壁２ｂ側に倒して、容器側部側壁２ｂの外面に接着している。
【００３８】
このようになっているので、容器本体１０に液体を入れても、容器前後側壁２ａと容器側部側壁２ｂの間から液体が漏れることがない。そして、容器前後側壁２ａ、２ａのそれぞれの上端部は、下に凸の円弧状の端部４ｃ、４ｃに形成され、下に凸の円弧状の部分が他の容器側部側壁２ｂ、２ｂより低い部分になっている。
【００３９】
また、蓋２０は天面板５と天面板５の端部に連続し、斜め外方で下方に向けて設けた蓋側壁からなっている。蓋側壁は対向する２つの蓋前後側壁６ａ、６ａと、２つの蓋前後側壁６ａ、６ａの間に位置し、対向する２つの蓋側部側壁６ｂ、６ｂとからなっている。
【００４０】
蓋２０には、図示しないが、蓋側部側壁６ｂ、６ｂのそれぞれの左右両端には貼着片を設けていて、貼着片を蓋前後側壁６ａ、６ａの内面に貼着させて、蓋側壁を下方に向けて固定している。そして、蓋前後側壁６ａ、６ａのそれぞれの左右中央の下端部には、台形状の切り欠き７ａ、７ａが設けられ、他の下端部より高い部分を形成している。
【００４１】
この蓋２０を容器本体１０に被せると、図６の正面図のように、容器本体１０の容器側壁は、容器側部側壁２ｂ、２ｂの上端部と、容器前後側壁２ａ、２ａの両端の上端部で蓋２０の天面板５に接するようになる。
【００４２】
このとき、蓋前後側壁６ａ、６ａのそれぞれの左右中央の下端部の台形状の切り欠き７ａ、７ａの部分と、容器前後側壁２ａ、２ａの円弧状の端部４ｃ、４ｃと合わさって、容器本体１０の容器前後側壁２ａ、２ａと蓋２０の蓋前後側壁６ａ、６ａの間に隙間が生ずる。
【００４３】
容器本体１０に内容物の水溶きした粉を入れて、蓋２０を被せ、電子レンジで加熱調理すると、大量に発生した蒸気は、蓋前後側壁６ａ、６ａの台形状の切り欠き７ａ、７ａの部分と、容器前後側壁２ａ、２ａの円弧状の端部４ｃ、４ｃと合わさって生じた、容器本体１０の容器前後側壁２ａ、２ａと蓋２０の蓋前後側壁６ａ、６ａの間の隙間を通り、容器外に放出され、蒸気がこもることがない。
【００４４】
そのため、調理した食品が濡れたり、湿ったりして、食味が大きく劣化する恐れがない。また、容器本体と蓋の間の隙間から蒸気が抜けるようにしているので、加熱調理後、不用意に手を電子レンジ加熱調理用容器の上にかざしたときにも火傷を負う恐れがない。
【００４５】
＜第４の実施形態＞
以下、本発明を実施するための第４の実施形態につき説明する。
図７は、本発明の電子レンジ加熱調理用容器の第４の実施形態を模式的に斜視で示した説明図、図８は、本発明の電子レンジ加熱調理用容器の第４の実施形態を模式的に正面で示した説明図である。
【００４６】
第４の実施形態の電子レンジ加熱調理用容器４００は、図７のように、容器本体１０と蓋２０からなり、容器本体１０は底面板１と底面板１の端部に連続し、斜め外方で上方に向けて設けた容器側壁からなっている。容器側壁は、対向する２つの容器前後側壁２ａ、２ａと、２つの容器前後側壁２ａ、２ａの間に位置し、対向する２つの容器側部側壁２ｂ、２ｂとからなっている。
【００４７】
容器本体１０には、容器前後側壁２ａと容器側部側壁２ｂの端部どうしを結ぶ二つ折り接着片３、３、３、３が設けられていて、容器前後側壁２ａ、２ａ、容器側部側壁２ｂ、２ｂを上方に向けて起こして、二つ折り接着片３、３、３、３を二つに折って、その状態で、容器側部側壁２ｂ側に倒して、容器側部側壁２ｂの外面に接着している。
【００４８】
このようになっているので、容器本体１０に液体を入れても、容器前後側壁２ａと容器側部側壁２ｂの間から液体が漏れることがない。そして、容器前後側壁２ａ、２ａのそれぞれの上端部は、下に凸の円弧状の端部４ｃ、４ｃに形成され、下に凸の円弧状の部分が他の容器側部側壁２ｂ、２ｂより低い部分になっている。
【００４９】
また、蓋２０は天面板５と天面板５の端部に連続し、斜め外方で下方に向けて設けた蓋側壁からなっている。蓋側壁は対向する２つの蓋前後側壁６ａ、６ａと、２つの蓋前後側壁６ａ、６ａの間に位置し、対向する２つの蓋側部側壁６ｂ、６ｂとからなっている。
【００５０】
蓋２０には、図示しないが、蓋側部側壁６ｂ、６ｂのそれぞれの左右両端には貼着片を設けていて、貼着片を蓋前後側壁６ａ、６ａの内面に貼着させて、蓋側壁を下方に向けて固定している。そして、蓋前後側壁６ａ、６ａのそれぞれの下端部は、上に凸の円弧状の端部７ｂ、７ｂに形成され、上に凸の円弧状の部分が他の蓋前後側壁６ａ、６ａの部分より低い部分になっている。
【００５１】
この蓋２０を容器本体１０に被せると、図８の正面図のように、容器本体１０の容器側壁は、容器側部側壁２ｂ、２ｂの上端部と、容器前後側壁２ａ、２ａの両端の上端部で蓋２０の天面板５に接するようになる。
【００５２】
このとき、蓋前後側壁６ａ、６ａの上に凸の円弧状の端部７ｂ、７ｂと容器前後側壁２ａ、２ａの円弧状の端部４ｃ、４ｃと合わさって、容器本体１０の容器前後側壁２ａ、２ａと蓋２０の蓋前後側壁６ａ、６ａの間に隙間が生ずる。
【００５３】
容器本体１０に内容物の水溶きした粉を入れて、蓋２０を被せ、電子レンジで加熱調理すると、大量に発生した蒸気は、蓋前後側壁６ａ、６ａの上に凸の円弧状の端部７ｂ、７ｂと容器前後側壁２ａ、２ａの円弧状の端部４ｃ、４ｃと合わさって生じた、容器本体１０の容器前後側壁２ａ、２ａと蓋２０の蓋前後側壁６ａ、６ａの間の隙間を通り、容器外に放出され、蒸気がこもることがない。
【００５４】
そのため、調理した食品が濡れたり、湿ったりして、食味が大きく劣化する恐れがない。また、容器本体と蓋の間の隙間から蒸気が抜けるようにしているので、加熱調理後、不用意に手を電子レンジ加熱調理用容器の上にかざしたときにも火傷を負う恐れがない。
【００５５】
＜第５の実施形態＞
以下、本発明を実施するための第５の実施形態につき説明する。
図９は、本発明の電子レンジ加熱調理用容器の第５の実施形態を模式的に斜視で示した説明図、図１０は、本発明の電子レンジ加熱調理用容器の第５の実施形態を模式的に正面で示した説明図である。
【００５６】
第５の実施形態の電子レンジ加熱調理用容器５００は、図９のように、容器本体１０と蓋２０からなり、容器本体１０は底面板１と底面板１の端部に連続し、斜め外方で上方に向けて設けた容器側壁からなっている。容器側壁は、対向する２つの容器前後側壁２ａ、２ａと、２つの容器前後側壁２ａ、２ａの間に位置し、対向する２つの容器側部側壁２ｂ、２ｂとからなっている。
【００５７】
容器本体１０には、容器前後側壁２ａと容器側部側壁２ｂの端部どうしを結ぶ二つ折り接着片３、３、３、３が設けられていて、容器前後側壁２ａ、２ａ、容器側部側壁２ｂ、２ｂを上方に向けて起こして、二つ折り接着片３、３、３、３を二つに折って、その状態で、容器側部側壁２ｂ側に倒して、容器側部側壁２ｂの外面に接着している。
【００５８】
このようになっているので、容器本体１０に液体を入れても、容器前後側壁２ａと容器側部側壁２ｂの間から液体が漏れることがない。そして、容器前後側壁２ａ、２ａ及び容器側部側壁２ｂ、２ｂのそれぞれの左右中央の上端部には、なだらかな曲線状の切り欠き４ａ、４ａ、４ａ、４ａを設けて、他の上端部より低い部分を設けてある。
【００５９】
また、蓋２０は天面板５と天面板５の端部に連続し、斜め外方で下方に向けて設けた蓋側壁からなっている。蓋側壁は対向する２つの蓋前後側壁６ａ、６ａと、２つの蓋前後側壁６ａ、６ａの間に位置し、対向する２つの蓋側部側壁６ｂ、６ｂとからなっている。
【００６０】
蓋２０には、図示しないが、蓋側部側壁６ｂ、６ｂのそれぞれの左右両端には貼着片を設けていて、貼着片を蓋前後側壁６ａ、６ａの内面に貼着させて、蓋側壁を下方に向けて固定している。そして、蓋前後側壁６ａ、６ａ及び蓋側部側壁６ｂ、６ｂのそれぞれの下端部には、なだらかな曲線状の切り欠き７ｃ、７ｃ、７ｃ、７ｃを設けて、他の下端部より高い部分を設けてある。
【００６１】
この蓋２０を容器本体１０に被せると、図１０の正面図のように、容器本体１０の容器側壁は、容器側部側壁２ｂ、２ｂの両端の高い上端部と、容器前後側壁２ａ、２ａの両端の高い上端部で蓋２０の天面板５に接するようになる。
【００６２】
このとき、蓋前後側壁６ａ、６ａ及び蓋側部側壁６ｂ、６ｂの切り欠き７ｃ、７ｃ、７ｃ、７ｃと容器前後側壁２ａ、２ａ及び容器側部側壁２ｂ、２ｂの切り欠き４ａ、４ａ、４ａ、４ａと合わさって、容器本体１０の容器側壁２ａ、２ａ、２ｂ、２ｂと蓋２０の蓋側壁６ａ、６ａ、６ｂ、６ｂの間に隙間が生ずる。
【００６３】
容器本体１０に内容物の水溶きした粉を入れて、蓋２０を被せ、電子レンジで加熱調理すると、大量に発生した蒸気は、蓋前後側壁６ａ、６ａ及び蓋側部側壁６ｂ、６ｂの切り欠き７ｃ、７ｃ、７ｃ、７ｃと容器前後側壁２ａ、２ａ及び容器側部側壁２ｂ、２ｂの切り欠き４ａ、４ａ、４ａ、４ａとが合わさって生じた、容器本体１０の容器側壁２ａ、２ａ、２ｂ、２ｂと蓋２０の蓋側壁６ａ、６ａ、６ｂ、６ｂの間の隙間を通り、容器外に放出され、蒸気がこもることがない。
【００６４】
そのため、調理した食品が濡れたり、湿ったりして、食味が大きく劣化する恐れがない。また、容器本体と蓋の間の隙間から蒸気が抜けるようにしているので、加熱調理後、不用意に手を電子レンジ加熱調理用容器の上にかざしたときにも火傷を負う恐れがない。
【００６５】
＜第６の実施形態＞
以下、本発明を実施するための第６の実施形態につき説明する。
図１１は、本発明の電子レンジ加熱調理用容器の第６の実施形態を模式的に斜視で示した説明図、図１２は、本発明の電子レンジ加熱調理用容器の第６の実施形態を模式的に正面で示した説明図である。
【００６６】
第６の実施形態の電子レンジ加熱調理用容器６００は、図１１のように、容器本体１０と蓋３０からなり、容器本体１０は底面板１と底面板１の端部に連続し、斜め外方で上方に向けて設けた容器側壁からなっている。容器側壁は、対向する２つの容器前後側壁２ａ、２ａと、２つの容器前後側壁２ａ、２ａの間に位置し、対向する２つの容器側部側壁２ｂ、２ｂとからなっている。
【００６７】
容器本体１０には、容器前後側壁２ａと容器側部側壁２ｂの端部どうしを結ぶ二つ折り接着片３、３、３、３が設けられていて、容器前後側壁２ａ、２ａ、容器側部側壁２ｂ、２ｂを上方に向けて起こして、二つ折り接着片３、３、３、３を二つに折って、その状態で、容器側部側壁２ｂ側に倒して、容器側部側壁２ｂの外面に接着している。
【００６８】
このようになっているので、容器本体１０に液体を入れても、容器前後側壁２ａと容器側部側壁２ｂの間から液体が漏れることがない。そして、容器前後側壁２ａ、２ａのそれぞれの上端部は、下に凸の円弧状の端部４ｃ、４ｃに形成され、下に凸の円弧状の部分が容器側部側壁２ｂ、２ｂの他の部分より低い部分になっている。
【００６９】
また、蓋３０は天面板５と天面板５の端部に連続し、斜め外方で上方に向けて設けた蓋側壁からなっている。蓋側壁は対向する２つの蓋前後側壁８ａ、８ａと、２つの蓋前後側壁８ａ、８ａの間に位置し、対向する２つの蓋側部側壁８ｂ、８ｂとからなっている。
【００７０】
蓋３０は、蓋前後側壁８ａ、８ａのそれぞれの左右両端には貼着片８ｃを設けていて、貼着片８ｃを蓋側部側壁８ｂ、８ｂに貼着させて、蓋側壁を上方に向けて固定している。そして、蓋側部側壁６ｂ、６ｂの上端中央には、それぞれつまみ部９、９が連設されている。
【００７１】
この蓋３０を容器本体１０の中に落とし込み蓋すると、図１２の正面図のように、容器本体１０の容器前後側壁２ａ、２ａと容器側部側壁２ｂ、２ｂの内側に沿って、蓋３０の蓋前後側壁８ａ、８ａと蓋側部側壁８ｂ、８ｂが嵌り込む。
【００７２】
このとき、蓋３０の天面板５は、容器前後側壁２ａ、２ａの円弧状の端部４ｃ、４ｃの低い部分より上になっていて、容器本体１０の容器前後側壁２ａ、２ａと、蓋３０の蓋前後側壁８ａ、８ａの間に隙間が生ずる。
【００７３】
容器本体１０に内容物の水溶きした粉を入れて、蓋３０を被せ、電子レンジで加熱調理すると、大量に発生した蒸気は、容器本体１０の容器前後側壁２ａ、２ａの円弧状の端部４ｃ、４ｃの低い部分と、蓋３０の蓋前後側壁８ａ、８ａの間に出来た隙間を通り、容器外に放出され、蒸気がこもることがない。
【００７４】
そのため、調理した食品が濡れたり、湿ったりして、食味が大きく劣化する恐れがない。また、容器本体と蓋の間の隙間から蒸気が抜けるようにしているので、加熱調理後、不
用意に手を電子レンジ加熱調理用容器の上にかざしたときにも火傷を負う恐れがない。さらに、つまみ部９を設けてあるので、電子レンジで加熱調理後、つまみ部９を持って蓋３０を容易に取り去ることができる。
【００７５】
尚、本実施形態では、貼着片８ｃを設けて貼着させて、蓋側壁を上方に向けて固定しているが、貼着片８ｃを設けなくとも良い。蓋３０の天面板５を容器本体の中に挿入すると、蓋前後側壁８ａ、８ａと蓋側部側壁８ｂ、８ｂも端部を上にして挿入され、前後側壁２ａ、２ａと容器側部側壁２ｂ、２ｂの内側に沿って嵌り込む。これにより、貼着片８ｃがある場合と同様になる。
【００７６】
＜第７の実施形態＞
以下、本発明を実施するための第７の実施形態につき説明する。
図１３は、本発明の電子レンジ加熱調理用容器の第７の実施形態を模式的に斜視で示した説明図、図１４は、本発明の電子レンジ加熱調理用容器の第７の実施形態を模式的に正面で示した説明図である。
【００７７】
第７の実施形態の電子レンジ加熱調理用容器７００は、図１３のように、容器本体１０と蓋３０からなり、容器本体１０は底面板１と底面板１の端部に連続し、斜め外方で上方に向けて設けた容器側壁からなっている。容器側壁は、対向する２つの容器前後側壁２ａ、２ａと、２つの容器前後側壁２ａ、２ａの間に位置し、対向する２つの容器側部側壁２ｂ、２ｂとからなっている。
【００７８】
容器本体１０には、容器前後側壁２ａと容器側部側壁２ｂの端部どうしを結ぶ二つ折り接着片３、３、３、３が設けられていて、容器前後側壁２ａ、２ａ、容器側部側壁２ｂ、２ｂを上方に向けて起こして、二つ折り接着片３、３、３、３を二つに折って、その状態で、容器側部側壁２ｂ側に倒して、容器側部側壁２ｂの外面に接着している。
【００７９】
このようになっているので、容器本体１０に液体を入れても、容器前後側壁２ａと容器側部側壁２ｂの間から液体が漏れることがない。そして、容器前後側壁２ａ、２ａには、それぞれ、間隔を置いた２箇所に縦長の楕円を横に割ったような形状の切り欠き４ｄ、４ｄ、４ｄ、４ｄが設けられている。
【００８０】
また、蓋３０は天面板５と天面板５の端部に連続し、斜め外方で上方に向けて設けた蓋側壁からなっている。この蓋側壁は対向する２つの蓋前後側壁８ａ、８ａと、２つの蓋前後側壁８ａ、８ａの間に位置し、対向する２つの蓋側部側壁８ｂ、８ｂとからなっている。
【００８１】
蓋３０は、蓋前後側壁８ａ、８ａのそれぞれの左右両端には貼着片８ｃを設けていて、貼着片８ｃを蓋側部側壁８ｂ、８ｂに貼着させて、蓋側壁を上方に向けて固定している。そして、蓋側部側壁６ｂ、６ｂの上端中央にはそれぞれつまみ部９、９が連設されている。
【００８２】
この蓋３０を容器本体１０の中に落とし込み蓋すると、図１４の正面図のように、容器本体１０の容器前後側壁２ａ、２ａと容器側部側壁２ｂ、２ｂの内側に沿って、蓋３０の蓋前後側壁８ａ、８ａと蓋側部側壁８ｂ、８ｂが嵌り込む。
【００８３】
このとき、蓋３０の天面板５は、容器前後側壁２ａ、２ａの切り欠き４ｄ、４ｄ、４ｄ、４ｄの低い部分より上になっていて、容器本体１０の容器前後側壁２ａ、２ａと、蓋３０の蓋前後側壁８ａ、８ａの間に隙間が生ずる。
【００８４】
容器本体１０に内容物の水溶きした粉を入れて、蓋３０を被せ、電子レンジで加熱調理すると、大量に発生した蒸気は、容器本体１０の容器前後側壁２ａ、２ａの切り欠き４ｄ、４ｄ、４ｄ、４ｄと、蓋３０の蓋前後側壁８ａ、８ａの間に出来た隙間を通り、容器外に放出され、蒸気がこもることがない。
【００８５】
そのため、調理した食品が濡れたり、湿ったりして、食味が大きく劣化する恐れがない。また、容器本体と蓋の間の隙間から蒸気が抜けるようにしているので、加熱調理後、不用意に手を電子レンジ加熱調理用容器の上にかざしたときにも火傷を負う恐れがない。
【００８６】
また、つまみ部９を設けてあるので、電子レンジで加熱調理後、つまみ部９を持って蓋３０を容易に取り去ることができる。尚、第６の実施形態と同様の理由から、貼着片８ｃを設けなくとも良い。
【００８７】
＜第８の実施形態＞
以下、本発明を実施するための第８の実施形態につき説明する。
図１５は、本発明の電子レンジ加熱調理用容器の第８の実施形態を模式的に斜視で示した説明図、図１６は、本発明の電子レンジ加熱調理用容器の第８の実施形態を模式的に正面で示した説明図である。
【００８８】
第８の実施形態の電子レンジ加熱調理用容器８００は、図１５のように、容器本体１０と蓋３０からなり、容器本体１０は底面板１と底面板１の端部に連続し、斜め外方で上方に向けて設けた容器側壁からなっている。容器側壁は、対向する２つの容器前後側壁２ａ、２ａと、２つの容器前後側壁２ａ、２ａの間に位置し、対向する２つの容器側部側壁２ｂ、２ｂとからなっている。
【００８９】
容器本体１０には、容器前後側壁２ａと容器側部側壁２ｂの端部どうしを結ぶ二つ折り接着片３、３、３、３が設けられていて、容器前後側壁２ａ、２ａ、容器側部側壁２ｂ、２ｂを上方に向けて起こして、二つ折り接着片３、３、３、３を二つに折って、その状態で、容器側部側壁２ｂ側に倒して、容器側部側壁２ｂの外面に接着している。
【００９０】
このようになっているので、容器本体１０に液体を入れても、容器前後側壁２ａと容器側部側壁２ｂの間から液体が漏れることがない。そして、容器前後側壁２ａ、２ａのそれぞれの上端部は、波型の端部４ｂ、４ｂに形成され、波型の上端が最も高く、それ以外の波型の部分が低い部分になっている。
【００９１】
また、蓋３０は天面板５と天面板５の端部に連続し、斜め外方で上方に向けて設けた蓋側壁からなっている。この蓋側壁は対向する２つの蓋前後側壁８ａ、８ａと、２つの蓋前後側壁８ａ、８ａの間に位置し、対向する２つの蓋側部側壁８ｂ、８ｂとからなっている。
【００９２】
蓋３０は、蓋前後側壁８ａ、８ａのそれぞれの左右両端には貼着片８ｃを設けていて、貼着片８ｃを蓋側部側壁８ｂ、８ｂに貼着させて、蓋側壁を上方に向けて固定している。そして、蓋側部側壁６ｂ、６ｂの上端中央にはそれぞれつまみ部９、９が連設されている。
【００９３】
この蓋３０を容器本体１０の中に落とし込み蓋すると、図１６の正面図のように、容器本体１０の容器前後側壁２ａ、２ａと容器側部側壁２ｂ、２ｂの内側に沿って、蓋３０の蓋前後側壁８ａ、８ａと蓋側部側壁８ｂ、８ｂが嵌り込む。
【００９４】
このとき、蓋３０の天面板５は、容器前後側壁２ａ、２ａの波型の端部４ｂ、４ｂのも
っとも低い部分より上になっていて、容器本体１０の容器前後側壁２ａ、２ａと、蓋３０の蓋前後側壁８ａ、８ａの間に隙間が生ずる。
【００９５】
容器本体１０に内容物の水溶きした粉を入れて、蓋３０を被せ、電子レンジで加熱調理すると、大量に発生した蒸気は、容器本体１０の容器前後側壁２ａ、２ａの波型の端部４ｂ、４ｂの低い部分と蓋３０の蓋前後側壁８ａ、８ａの間に出来た隙間を通り、容器外に放出され、蒸気がこもることがない。
【００９６】
そのため、調理した食品が濡れたり、湿ったりして、食味が大きく劣化する恐れがない。また、容器本体と蓋の間の隙間から蒸気が抜けるようにしているので、加熱調理後、不用意に手を電子レンジ加熱調理用容器の上にかざしたときにも火傷を負う恐れがない。
【００９７】
さらに、つまみ部９を設けてあるので、電子レンジで加熱調理後、つまみ部９を持って蓋３０を容易に取り去ることができる。尚、第６の実施形態と同様の理由から、貼着片８ｃを設けなくとも良い。
【符号の説明】
【００９８】
１００、２００、３００、４００、５００、６００、７００、８００・・・電子レンジ加熱調理用容器
１０・・・容器本体
２０・・・蓋
１・・・底面板
２ａ・・・容器前後側壁
２ｂ・・・容器側部側壁
３・・・二つ折り接着片
４ａ、４ｄ、７ａ、７ｃ・・・切り欠き
４ｂ、４ｃ、７ｂ・・・端部
５・・・天面板
６ａ、８ａ・・・蓋前後側壁
６ｂ、８ｂ・・・蓋側部側壁
８ｃ・・・貼着片
９・・・つまみ部
【図１】
2015006902.tif 000003
【図２】
2015006902.tif 000004
【図３】
2015006902.tif 000005
【図４】
2015006902.tif 000006
【図５】
2015006902.tif 000007
【図６】
2015006902.tif 000008
【図７】
2015006902.tif 000009
【図８】
2015006902.tif 000010
【図９】
2015006902.tif 000011
【図１０】
2015006902.tif 000012
【図１１】
2015006902.tif 000013
【図１２】
2015006902.tif 000014
【図１３】
2015006902.tif 000015
【図１４】
2015006902.tif 000016
【図１５】
2015006902.tif 000017
【図１６】
2015006902.tif 000018